(57)【要約】      （修正有）【課題】表示装置内に蓄積されたコンテンツのセキュリティを複数回に分けて段階的に解除できる表示装置を提供する。【解決手段】セキュリティレベルが第１レベルのコンテンツの表示制限解除用の第１解除用名称を含む第１一覧を表示させる第１表示制御プログラム１２１と、第１一覧から第１解除用名称が選択されると、第１レベルのコンテンツ名称と、第２レベルのコンテンツの第２解除用名称を含む第２一覧を表示させる第２表示制御プログラム１２３と、第２一覧から第１レベルのコンテンツ名称が選択されると、第１レベルのコンテンツの内容を表示部１１に表示し、第２解除用名称が選択されると、第２レベルのコンテンツ名称の第３一覧を表示させる第３表示制御プログラム１２５と、第３一覧から第２レベルのコンテンツ名称が選択されると、第２レベルのコンテンツの内容を表示する第４表示制御プログラム１２７とを有する。【選択図】図３
2010160662.tif 000002
【特許請求の範囲】
【請求項１】
表示部と記憶部を備え、前記記憶部が少なくとも前記表示部に表示させるコンテンツの内容、前記コンテンツに対応するコンテンツ対応固有文字列、及び、前記コンテンツに対応するセキュリティレベルを記憶する表示装置であって、
第１セキュリティレベルのコンテンツの表示制限を解除できる第１解除用文字列と、前記表示制限を解除できない解除不能文字列と、の２種類の文字列を少なくとも列挙した第１一覧を前記表示部に表示させる第１表示制御部と、
前記表示部に表示された前記第１一覧から一つの文字列を選択する第１選択部と、
前記第１一覧から前記第１解除用文字列が選択された場合に、前記第１セキュリティレベルのコンテンツのコンテンツ対応固有文字列と、第２セキュリティレベルのコンテンツの表示制限を解除できる第２解除用文字列と、前記表示制限を解除できない解除不能文字列と、の３種類の文字列を少なくとも列挙した第２一覧を前記表示部に表示させ、前記第１一覧から前記解除不能文字列が選択された場合に、前記第２一覧を表示させない第２表示制御部と、
前記表示部に表示された前記第２一覧から一つの文字列を選択する第２選択部と、
前記第２一覧から前記第１セキュリティレベルのコンテンツのコンテンツ対応固有文字列が選択された場合に、前記第１セキュリティレベルのコンテンツの内容を前記表示部に表示し、前記第２一覧から前記第２解除用文字列が選択された場合に、第２セキュリティレベルのコンテンツのコンテンツ対応固有文字列を少なくとも列挙した第３一覧を前記表示部に表示し、前記第２一覧から前記解除不能文字列が選択された場合に、前記第３一覧を表示させない第３表示制御部と、
前記表示部に表示された前記第３一覧から一つの文字列を選択する第３選択部と、
前記第３一覧から前記第２セキュリティレベルのコンテンツのコンテンツ対応固有文字列が選択された場合に、第２セキュリティレベルのコンテンツの内容を前記表示部に表示する第４表示制御部と、
を有することを特徴とする表示装置。
【請求項２】
前記第１表示制御部は、更にセキュリティレベルが設定されていないコンテンツに対応するコンテンツ対応固有文字列を表示させることを特徴とする請求項１に記載の表示装置。
【請求項３】
前記第２表示制御部が表示する第２一覧の文字列の数が、前記第１表示制御部が表示する第１一覧に表示される文字列の数よりも多い
ことを特徴とする請求項１又は２に記載の表示装置。
【請求項４】
前記記憶部は、前記コンテンツに対応する表示制限を解除するためのパスワードを記憶し、
前記第１表示制御部は、前記第１一覧から前記解除不能固有文字列が選択された場合に、パスワード入力画面を前記表示部に表示し、
更に、前記パスワード入力画面にてパスワードが入力された場合に、入力されたパスワードが予め記憶されている解除用のパスワードに一致した場合に、前記第２一覧を表示する第５表示制御部を有する
ことを特徴とする請求項１〜３の何れかに記載の表示装置。
【請求項５】
前記第５表示制御部は、前記第１一覧から前記解除不能固有文字列が選択された場合に、再度第１一覧を表示し、前記再度第１一覧を表示した回数が所定数Ｎ（Ｎ＞１の正の整数）を超えた場合に、前記パスワード入力画面を表示することを特徴とする
請求項４に記載の表示装置。
【請求項６】
表示部と記憶部を備え、前記記憶部が少なくとも前記表示部に表示させるコンテンツの内容、前記コンテンツに対応するコンテンツ対応固有文字列、及び、前記コンテンツに対応するセキュリティレベルを記憶する表示装置の表示制限プログラムであって、
第１セキュリティレベルのコンテンツの表示制限を解除できる第１解除用文字列と、前記表示制限を解除できない解除不能文字列と、の２種類の文字列を少なくとも列挙した第１一覧を前記表示部に表示させる第１表示制御プログラムと、
前記表示部に表示された前記第１一覧から一つの文字列を選択する第１選択プログラムと、
前記第１一覧から前記第１解除用文字列が選択された場合に、前記第１セキュリティレベルのコンテンツのコンテンツ対応固有文字列と、第２セキュリティレベルのコンテンツの表示制限を解除できる第２解除用文字列と、前記表示制限を解除できない解除不能文字列と、の３種類の文字列を少なくとも列挙した第２一覧を前記表示部に表示させ、前記第１一覧から前記解除不能文字列が選択された場合に、前記第２一覧を表示させない第２表示制御プログラムと、
前記表示部に表示された前記第２一覧から一つの文字列を選択する第２選択プログラムと、
前記第２一覧から前記第１セキュリティレベルのコンテンツのコンテンツ対応固有文字列が選択された場合に、前記第１セキュリティレベルのコンテンツの内容を前記表示部に表示し、前記第２一覧から前記第２解除用文字列が選択された場合に、第２セキュリティレベルのコンテンツのコンテンツ対応固有文字列を少なくとも列挙した第３一覧を前記表示部に表示し、前記第２一覧から前記解除不能文字列が選択された場合に、前記第３一覧を表示させない第３表示制御プログラムと、
前記表示部に表示された前記第３一覧から一つの文字列を選択する第３選択プログラムと、
前記第３一覧から前記第２セキュリティレベルのコンテンツのコンテンツ対応固有文字列が選択された場合に、第２セキュリティレベルのコンテンツの内容を前記表示部に表示する第４表示制御プログラムと、
を有することを特徴とする表示制限プログラム。
【請求項７】
表示部と記憶部を備え、前記記憶部が少なくとも前記表示部に表示させるコンテンツの内容、前記コンテンツに対応するコンテンツ対応固有文字列、及び、前記コンテンツに対応するセキュリティレベルを記憶する表示装置の表示制限方法であって、
第１セキュリティレベルのコンテンツの表示制限を解除できる第１解除用文字列と、前記表示制限を解除できない解除不能文字列と、の２種類の文字列を少なくとも列挙した第１一覧を前記表示部に表示させる第１表示制御方法と、
前記表示部に表示された前記第１一覧から一つの文字列を選択する第１選択方法と、
前記第１一覧から前記第１解除用文字列が選択された場合に、前記第１セキュリティレベルのコンテンツのコンテンツ対応固有文字列と、第２セキュリティレベルのコンテンツの表示制限を解除できる第２解除用文字列と、前記表示制限を解除できない解除不能文字列と、の３種類の文字列を少なくとも列挙した第２一覧を前記表示部に表示させ、前記第１一覧から前記解除不能文字列が選択された場合に、前記第２一覧を表示させない第２表示制御方法と、
前記表示部に表示された前記第２一覧から一つの文字列を選択する第２選択方法と、
前記第２一覧から前記第１セキュリティレベルのコンテンツのコンテンツ対応固有文字列が選択された場合に、前記第１セキュリティレベルのコンテンツの内容を前記表示部に表示し、前記第２一覧から前記第２解除用文字列が選択された場合に、第２セキュリティレベルのコンテンツのコンテンツ対応固有文字列を少なくとも列挙した第３一覧を前記表示部に表示し、前記第２一覧から前記解除不能文字列が選択された場合に、前記第３一覧を表示させない第３表示制御方法と、
前記表示部に表示された前記第３一覧から一つの文字列を選択する第３選択方法と、
前記第３一覧から前記第２セキュリティレベルのコンテンツのコンテンツ対応固有文字列が選択された場合に、第２セキュリティレベルのコンテンツの内容を前記表示部に表示する第４表示制御方法と、
を有することを特徴とする表示制限方法。
【発明の詳細な説明】
【技術分野】
【０００１】
本発明は、表示部を備えた装置において表示機能の制限方法に関し、特にコンテンツ毎に複数レベルに制限された表示機能を段階的に解除する方法に関する。
【背景技術】
【０００２】
従来より、表示部を備えた装置（以下、表示装置と記載）で表示されるコンテンツにパスワードを設定しておき、コンテンツを開く前にパスワードの入力を要求することで、第三者によるコンテンツの閲覧を防止する機能が知られている。しかし、パスワードによる方法は文字及び／又は数字で入力されるため、一般的にキーボードを備えない表示装置では実施が困難である。又、パスワードは日常的に使用していないと忘却しやすく、長期間が経過した後に正当な使用者が表示装置で当該コンテンツを閲覧しようとしても、パスワードが思い出せないで閲覧できないことがある。
【０００３】
又、表示装置の中には、表示部の画面上のカーソルを移動させる方向キーとカーソル位置の表示内容に決定する決定キーは備えるが、文字及び／又は数字の入力キーを備えていないものがある。そのような表示装置でパスワード等を入力する場合には、例えば、画面上に仮想キーボードを表示し、方向キーと決定キーで一文字ずつ入力することで文字入力は可能になる。しかし、仮想キーボードで入力する方法は、実際のキーボードによる入力方法と比較して入力時間が多く必要である。
【０００４】
そのような表示装置として、例えば、表示部と方向キーと決定キーを有するデジタルカメラが知られている。そのようなデジタルカメラには、一般的にテンキー及び又は文字入力キーは設けられず、撮影された画像コンテンツが記憶される。記憶された画像コンテンツの中の一つが、予め表示制限を解除するために画像コンテンツとして設定される。その後、撮影した画像コンテンツを表示部に表示させる際には、当該デジタルカメラは、解除用を含む各画像コンテンツをサムネイル等に縮小して一覧表示し、その中から解除用の画像コンテンツが選択された場合に、画像コンテンツの表示制限を解除して閲覧を可能にするものがある（例えば、特許文献１参照）。
【先行技術文献】
【特許文献】
【０００５】
【特許文献１】特開２００４−３２５４２号公報
【発明の概要】
【発明が解決しようとする課題】
【０００６】
しかしながら、特許文献１に記載された表示制限の解除方法の場合は、一個の解除キーが選択されることで一度に全ての画像コンテンツの表示制限が解除されるので、例えば、個々の使用者に応じて一部の画像コンテンツのみ表示制限を解除させたい場合には不都合であり使用上の問題がある。また、特許文献１の場合は、一個の解除用画像コンテンツ（解除キー）が流出してしまった場合や、第三者が選択した画像が偶然解除キーであった場合など、には全ての画像コンテンツのセキュリティが無効になってしまうことになり、セキュリティ上の問題がある。
【０００７】
そこで本発明は、上記の課題を解決するために、表示装置内に蓄積されたコンテンツのセキュリティを複数回に分けて段階的に解除できる表示装置とその表示制限方法を提供することを目的とする。
【課題を解決するための手段】
【０００８】
上記課題を解決するために、本発明の請求項１に係る表示制限装置は、表示部と記憶部を備え、前記記憶部が少なくとも前記表示部に表示させるコンテンツの内容、前記コンテンツに対応するコンテンツ対応固有文字列、及び、前記コンテンツに対応するセキュリティレベルを記憶する表示装置であって、第１セキュリティレベルのコンテンツの表示制限を解除できる第１解除用文字列と、前記表示制限を解除できない解除不能文字列と、の２種類の文字列を少なくとも列挙した第１一覧を前記表示部に表示させる第１表示制御部と、前記表示部に表示された前記第１一覧から一つの文字列を選択する第１選択部と、前記第１一覧から前記第１解除用文字列が選択された場合に、前記第１セキュリティレベルのコンテンツのコンテンツ対応固有文字列と、第２セキュリティレベルのコンテンツの表示制限を解除できる第２解除用文字列と、前記表示制限を解除できない解除不能文字列と、の３種類の文字列を少なくとも列挙した第２一覧を前記表示部に表示させ、前記第１一覧から前記解除不能文字列が選択された場合に、前記第２一覧を表示させない第２表示制御部と、前記表示部に表示された前記第２一覧から一つの文字列を選択する第２選択部と、前記第２一覧から前記第１セキュリティレベルのコンテンツのコンテンツ対応固有文字列が選択された場合に、前記第１セキュリティレベルのコンテンツの内容を前記表示部に表示し、前記第２一覧から前記第２解除用文字列が選択された場合に、第２セキュリティレベルのコンテンツのコンテンツ対応固有文字列を少なくとも列挙した第３一覧を前記表示部に表示し、前記第２一覧から前記解除不能文字列が選択された場合に、前記第３一覧を表示させない第３表示制御部と、前記表示部に表示された前記第３一覧から一つの文字列を選択する第３選択部と、前記第３一覧から前記第２セキュリティレベルのコンテンツのコンテンツ対応固有文字列が選択された場合に、第２セキュリティレベルのコンテンツの内容を前記表示部に表示する第４表示制御部と、を有する。
本実施態様では、表示装置内に蓄積されたコンテンツのセキュリティを、各コンテンツに設定されたセキュリティレベルに対応させて複数回に分けて段階的に解除できので、一つのセキュレティレベルが解除されるだけ全てのコンテンツのセキュリティが無効になってしまうことを避けることができる。また、第２一覧では「第１セキュリティレベルのコンテンツのコンテンツ対応固有文字列」と「第２解除用文字列」とが列挙されているため、第１セキュリティレベルのコンテンツの内容を表示するために行う「第１セキュリティレベルのコンテンツのコンテンツ対応固有文字列」の選択と、第２セキュリティレベルのコンテンツの一覧を表示するための「第２解除用文字列」の選択との両方を同一の一覧から行うことができる。ユーザはそれぞれ別の一覧から選択しなければならないといった煩雑な操作をしなくても良く、目的のコンテンツを表示させるまでの工数を減らすことができる。
【０００９】
それに対して例えば特許文献１のデジタルカメラでは、一括して画像コンテンツが一覧表示され、その中から解除用の画像コンテンツが選択される。従って、特許文献１のデジタルカメラは、表示装置内に蓄積されたコンテンツのセキュリティを複数回に分けて段階的に解除できない。
【００１０】
本発明におけるセキュリティ効果は、第三者によるコンテンツの閲覧又は視聴等を防止する効果であり、本発明では第三者による制限解除用一覧からの解除用固有文字列の選択を困難にすることで効果を得ている。
【００１１】
それに対して例えば特許文献１に記載されたデジタルカメラでは、一覧表示される各画像コンテンツは縮小される際に視認可能である必要があるので高縮小率にできない。従って、表示部に視認可能に一覧表示される画像コンテンツの数は限られる。また、一般的にデジタルカメラの表示部は比較的小さい寸法であるので、一覧表示できる画像コンテンツの数は少なく、増加させることは困難である。従って、特許文献１のデジタルカメラでは、充分なセキュリティ効果を得ることが容易ではない。
【００１２】
本明細書で用いる「コンテンツ」とは、本発明の表示装置に表示される内容の総称を示す。表示される内容が画像である場合には画像コンテンツとなる。表示される内容が文字を含む文書である場合には文書コンテンツとなる。表示装置内の記憶部に、各コンテンツは個別に記憶される。
【００１３】
各コンテンツには、各々を識別するために各コンテンツに対応する一文字以上の固有文字列が設定される。このコンテンツに対応する「固有文字列」は、例えばコンテンツの「名称」である。表示装置は、一つのコンテンツが固有文字列により指定されると、そのコンテンツを記憶部から読み出して表示する。表示装置においてコンテンツを指定する場合は、例えば、コンテンツ対応固有文字列を一覧表示させ、その中から指定する。
【００１４】
表示装置では、使用者の便宜を図るために、例えば、フォルダといった入れ物を管理用に用い、各コンテンツを管理する場合がある。「第１セキュリティレベルのコンテンツのコンテンツ対応固有文字列」としては、適当な文字の組み合わせを使用しても良いが、例えば、第１セキュリティレベルのコンテンツを格納したフォルダ名称を用いることもできる。
【００１５】
好ましくは、請求項２に係る本発明のように、前記第１表示制御部は、更にセキュリティレベルが設定されていないコンテンツに対応するコンテンツ対応固有文字列を表示させるようにしてもよい。
本実施態様では、表示制限が設定されていないコンテンツに対応するコンテンツ対応固有文字列も制限解除用一覧に表示するので、表示装置内に蓄積されたコンテンツを表示させたい場合に、目的のコンテンツを表示させるまでの時間を短縮することができる。
【００１６】
好ましくは、請求項３に係る本発明のように、前記第２表示制御部が表示する第２一覧の文字列の数が、前記第１表示制御部が表示する第１一覧に表示される文字列の数よりも多いようにしてもよい。
本実施態様では、制限解除用一覧を表示する度に表示される固有文字列の数を多くすることで、制限解除用一覧を表示する度にセキュリティレベルを上げることができる。
【００１７】
好ましくは、請求項４に係る本発明のように、前記記憶部は、前記コンテンツに対応する表示制限を解除するためのパスワードを記憶し、前記第１表示制御部は、前記第１一覧から前記解除不能固有文字列が選択された場合に、パスワード入力画面を前記表示部に表示し、更に、前記パスワード入力画面にてパスワードが入力された場合に、入力されたパスワードが予め記憶されている解除用のパスワードに一致した場合に、前記第２一覧を表示する第５表示制御部を有するようにしてもよい。
本実施態様では、制限解除用一覧から選択できなかった場合にパスワード入力に切り替えることで、忘却等で正当な使用者が選択できなくなる事態を救済することができる。
ことができる。
【００１８】
好ましくは、請求項５に係る本発明のように、前記第５表示制御部は、前記第１一覧から前記解除不能固有文字列が選択された場合に、再度第１一覧を表示し、前記再度第１一覧を表示した回数が所定数を超えた場合に、前記パスワード入力画面を表示するようにしてもよい。
本実施態様では、選択部による解除用固有文字列の選択回数をカウントし、上限が規定された複数回の選択を可能とし、選択回数が所定回以上になったらパスワード入力に切り替えることで、操作ミス等で正当な使用者が選択できなくなる事態を救済すると共に、選択の上限を設けることでセキュリティ効果が低下しすぎる事態を抑制することができる。
ことができる。
【００１９】
また、上記課題を解決するために、本発明の請求項６に係る表示制御プログラムは、表示部と記憶部を備え、前記記憶部が少なくとも前記表示部に表示させるコンテンツの内容、前記コンテンツに対応するコンテンツ対応固有文字列、及び、前記コンテンツに対応するセキュリティレベルを記憶する表示装置の表示制限プログラムであって、第１セキュリティレベルのコンテンツの表示制限を解除できる第１解除用文字列と、前記表示制限を解除できない解除不能文字列と、の２種類の文字列を少なくとも列挙した第１一覧を前記表示部に表示させる第１表示制御プログラムと、前記表示部に表示された前記第１一覧から一つの文字列を選択する第１選択プログラムと、前記第１一覧から前記第１解除用文字列が選択された場合に、前記第１セキュリティレベルのコンテンツのコンテンツ対応固有文字列と、第２セキュリティレベルのコンテンツの表示制限を解除できる第２解除用文字列と、前記表示制限を解除できない解除不能文字列と、の３種類の文字列を少なくとも列挙した第２一覧を前記表示部に表示させ、前記第１一覧から前記解除不能文字列が選択された場合に、前記第２一覧を表示させない第２表示制御プログラムと、前記表示部に表示された前記第２一覧から一つの文字列を選択する第２選択プログラムと、前記第２一覧から前記第１セキュリティレベルのコンテンツのコンテンツ対応固有文字列が選択された場合に、前記第１セキュリティレベルのコンテンツの内容を前記表示部に表示し、前記第２一覧から前記第２解除用文字列が選択された場合に、第２セキュリティレベルのコンテンツのコンテンツ対応固有文字列を少なくとも列挙した第３一覧を前記表示部に表示し、前記第２一覧から前記解除不能文字列が選択された場合に、前記第３一覧を表示させない第３表示制御プログラムと、前記表示部に表示された前記第３一覧から一つの文字列を選択する第３選択プログラムと、前記第３一覧から前記第２セキュリティレベルのコンテンツのコンテンツ対応固有文字列が選択された場合に、第２セキュリティレベルのコンテンツの内容を前記表示部に表示する第４表示制御プログラムと、を有する。
本実施態様の表示制御プログラムは、本発明の請求項１と同様な効果が得られる。
【００２０】
また、上記課題を解決するために、本発明の請求項７に係る表示制限方法は、表示部と記憶部を備え、前記記憶部が少なくとも前記表示部に表示させるコンテンツの内容、前記コンテンツに対応するコンテンツ対応固有文字列、及び、前記コンテンツに対応するセキュリティレベルを記憶する表示装置の表示制限方法であって、第１セキュリティレベルのコンテンツの表示制限を解除できる第１解除用文字列と、前記表示制限を解除できない解除不能文字列と、の２種類の文字列を少なくとも列挙した第１一覧を前記表示部に表示させる第１表示制御方法と、前記表示部に表示された前記第１一覧から一つの文字列を選択する第１選択方法と、前記第１一覧から前記第１解除用文字列が選択された場合に、前記第１セキュリティレベルのコンテンツのコンテンツ対応固有文字列と、第２セキュリティレベルのコンテンツの表示制限を解除できる第２解除用文字列と、前記表示制限を解除できない解除不能文字列と、の３種類の文字列を少なくとも列挙した第２一覧を前記表示部に表示させ、前記第１一覧から前記解除不能文字列が選択された場合に、前記第２一覧を表示させない第２表示制御方法と、前記表示部に表示された前記第２一覧から一つの文字列を選択する第２選択方法と、前記第２一覧から前記第１セキュリティレベルのコンテンツのコンテンツ対応固有文字列が選択された場合に、前記第１セキュリティレベルのコンテンツの内容を前記表示部に表示し、前記第２一覧から前記第２解除用文字列が選択された場合に、第２セキュリティレベルのコンテンツのコンテンツ対応固有文字列を少なくとも列挙した第３一覧を前記表示部に表示し、前記第２一覧から前記解除不能文字列が選択された場合に、前記第３一覧を表示させない第３表示制御方法と、前記表示部に表示された前記第３一覧から一つの文字列を選択する第３選択方法と、前記第３一覧から前記第２セキュリティレベルのコンテンツのコンテンツ対応固有文字列が選択された場合に、第２セキュリティレベルのコンテンツの内容を前記表示部に表示する第４表示制御方法と、を有する。
本実施態様の表示制限方法は、本発明の請求項１と同様な効果が得られる。
【発明の効果】
【００２１】
本発明の表示装置によれば、表示装置内に蓄積されたコンテンツのセキュリティを、各コンテンツに設定されたセキュリティレベルに対応させて複数回に分けて段階的に解除できるので、一つのセキュレティレベルが解除されるだけ全てのコンテンツのセキュリティが無効になってしまうことを避けることができる。また、第２一覧では「第１セキュリティレベルのコンテンツのコンテンツ対応固有文字列」と「第２解除用文字列」とが列挙されているため、第１セキュリティレベルのコンテンツの内容を表示するために行う「第１セキュリティレベルのコンテンツのコンテンツ対応固有文字列」の選択と、第２セキュリティレベルのコンテンツの一覧を表示するための「第２解除用文字列」の選択との両方を同一の一覧から行うことができる。ユーザはそれぞれ別の一覧から選択しなければならないといった煩雑な操作をしなくても良い。
【図面の簡単な説明】
【００２２】
【図１】本発明の一実施形態の表示装置の外観及び表示部の画面を示す図である。
【図２】本実施形態の表示装置の概略のハードウエア構成と記憶部内の機能ブロックの一例を示すブロック図である。
【図３】本実施形態の表示装置における主制御部内の概略の機能ブロック構成の一例を示すブロック図である。
【図４】本実施形態の表示装置１の全体的な動作を示すフローチャートである。
【図５】図４のステップＳ４のコンテンツを選択する処理の詳細フローチャートである。
【図６】（ａ）、（ｂ）、（ｃ）は、各々、図５のフローチャートの第１一覧、第２一覧及び第３一覧の表示画面の一例を示す図である。
【図７】図５のフローチャートの一部のステップにおける表示画面の一例を示す図である。
【図８】図５のフローチャートの一部のステップにおける表示画面の一例を示す図である。
【発明を実施するための形態】
【００２３】
以下、本発明の表示装置の実施の形態について、以下に図面を用いながら詳細に説明する。
【００２４】
図１は、本発明の一実施形態の表示装置の外観及び表示部の画面を示す図である。以下、本実施形態は、固有文字列が名称の場合であり、コンテンツを指定するために表示部の画面上のコンテンツ名称一覧からコンテンツ名称が選択される場合について説明する。
【００２５】
表示装置１は、少なくとも表示装置１で実行する内容のメニュー画面、コンテンツ名称一覧及びコンテンツの内容を画面に表示できる表示部１１と、表示部１１上の表示から選択した内容を入力できる入力部１２を備えている。
【００２６】
表示部１１は、コンテンツ名称一覧を表示する際には、例えば、装置内部に記憶された複数のコンテンツの名称を選択して一覧表示する。コンテンツ名称一覧としては、第１一覧６１（図７（ａ）参照）と、第２一覧６２（図７（ｂ）参照）と、第３一覧６３が表示される。
【００２７】
第１一覧６１、及び、第２一覧６２では、少なくとも、１個のコンテンツ名称が表示制限を解除できる解除用コンテンツ名称と、表示制限を解除できないダミーのコンテンツ名称を含んでいる。尚、解除用コンテンツ名称は１個に限らず、複数のコンテンツ名称を解除用コンテンツ名称として用いてもよい。表示制限を解除できないコンテンツ名称は、仮想の名称も使用可能であるが、本実施形態では記憶された実際のコンテンツ名称から選択することとする。
【００２８】
第１一覧６１は、第１セキュリティレベルのコンテンツの表示制限を解除できる第１解除用コンテンツ名称と、表示制限を解除できない解除不能コンテンツ名称と、の２種類のコンテンツ名称を少なくとも列挙する。第２一覧６２は、第１セキュリティレベルのコンテンツを表示させるためのコンテンツ名称と、第２セキュリティレベルのコンテンツの表示制限を解除できる第２解除用コンテンツ名称と、第２セキュリティレベルのコンテンツの表示制限を解除できない解除不能コンテンツ名称と、の３種類のコンテンツ名称を少なくとも列挙する。第３一覧６３は、第２セキュリティレベルのコンテンツを表示させるためのコンテンツ名称を少なくとも列挙する。
【００２９】
解除用コンテンツ名称及び解除不能コンテンツ名称は、例えば、表示装置内に記憶されているコンテンツ名称から選択される。
【００３０】
第１一覧６１、第２一覧６２、及び、第３一覧６３におけるコンテンツ名称の表示数は、第三者が偶然に解除用コンテンツ名称を選択する確率が低くなる数に設定される。表示数が多くなれば第三者による選択確率は低下するのでセキュリティ効果のレベルは上がり、逆に表示数が少なくなればセキュリティ効果のレベルは下がる。本実施形態では、第２一覧６２の文字列の数が第１一覧６１に表示される文字列の数よりも多くなり、第３一覧６３の文字列の数が第２一覧６２に表示される文字列の数よりも多くなるように表示数が制御される。より詳しくは、図７を用いて後述する。
【００３１】
表示部１１としては、例えば電気泳動式の表示パネル等の不揮発性の表示パネル、又は液晶等の揮発性の表示パネルを用いることができる。不揮発性の表示パネルの場合は、電源供給が遮断されても最後の表示が維持されるが、揮発性の表示パネルの場合は、電源供給が遮断されると表示が消失する。
【００３２】
入力部１２は、少なくとも表示部１１の画面上に表示されたカーソルを上下左右方向に移動させる方向キー１５〜１８と、カーソル位置の表示内容を入力する決定キー１９を有している。上方向キー１５はカーソルを上方向に移動させ、右方向キー１６はカーソルを右方向に移動させ、下方向キー１７はカーソルを下方向に移動させ、左方向キー１８はカーソルを左方向に移動させる。例えば、表示部１１の画面上に第１一覧６１、第２一覧６２、及び、第３一覧６３が表示されている場合には、方向キー１５〜１８によりカーソルを一つのコンテンツ名称に合わせてから決定キー１９を押すことにより、そのコンテンツ名称を選択することができる。
【００３３】
図２は、本実施形態の表示装置の概略のハードウエア構成と記憶部内の機能ブロックの一例を示すブロック図である。
表示装置１の中には、ハードウエア構成として上記した表示部１１及び入力部１２の他に、主制御部２１、外部記憶部２２、外部記憶インターフェース（Ｉ／Ｆ）２３、タイマ２５、電源部２６を有している。
【００３４】
主制御部２１は、外部記憶部２２へのコンテンツのデータの格納を制御し、外部記憶部２２に格納されたコンテンツの表示部１１への出力を制御する。主制御部２１は、例えば、内部バスにより接続されたＣＰＵ（Central Ｐrocessing Unit）３１と、ＲＯＭ（Read Only Memory）３２と、ＲＡＭ（Random Access Memory）３３を有する。
【００３５】
ＣＰＵ３１は、表示装置１で用いられる各種処理プログラムに基づいて演算処理等を実行する演算素子である。ＲＯＭ３２は、表示装置１で用いられる各種処理プログラム等のソフトウエア及び処理に用いられるデータ等を記憶する記憶素子である。ＲＡＭ３３は、表示装置１で用いられる各種処理プログラムの作業領域であると共に、各種処理に用いられるデータ等を一時的に保持する記憶素子である。尚、主制御部２１としては、上記したＣＰＵ等に限られるものではなく、本実施形態の処理を実行可能である他の集積回路を用いてもよい。
【００３６】
外部記憶部２２は、例えばメモリーカードのように書き換え可能である不揮発性のフラッシュメモリ等を内蔵する記憶装置であり、表示装置１に表示されるコンテンツのデータ及び名称、及び、表示装置１のセキュリティに関係するデータ等を記憶する。
【００３７】
外部記憶Ｉ／Ｆ２３は、表示装置１に外部記憶部２２を機械的及び電気的に接続するインターフェースであり、外部記憶部２２に記憶されたコンテンツのデータを表示装置１への読み出し等を可能にする。
【００３８】
タイマ２５は、表示部１１に一つの画面が表示されてからの表示時間を計測し、計測した時間を主制御部２１に出力する。タイマ２５は、例えば、タイマ計時に連動して表示部１１の画面を変更又は非表示にする機能を有している場合、又は、画面表示されてから所定時間をタイマ計時しても次の入力が無く初期画面に戻す機能を有している場合等に用いられる。
【００３９】
電源部２６は、例えば、電池、充電池、商用電源等からの電圧を表示装置１内の各部に適した電圧に変換して供給する。尚、電源部２６に充電池を用いる場合には、充電効率を上げると共に充電池の寿命を延ばすために充電電流を制御する充電コントローラを設けてもよい。
【００４０】
図３は、本実施形態の表示装置における主制御部内の概略の機能ブロック構成の一例を示すブロック図である。
図３の外部記憶部２２の中には、内部の記憶ブロックとしてコンテンツ記憶部４２と、解除用コンテンツ名称記憶部４３と、パスワード記憶部４５を有している。
【００４１】
コンテンツ記憶部４２は、外部から入力されたコンテンツのデータを記憶する。コンテンツ記憶部４２に格納されるコンテンツのデータには、少なくともコンテンツの内容（コンテンツ内容記憶部９３）とコンテンツ名称（コンテンツ名称記憶部９１）が含まれる。その際に、コンテンツのデータは、複数段階のセキュリティレベルに応じて読み出しが可能であるように、例えば、記憶領域がセキュリティ領域毎に分割されて記憶されるか、セキュリティレベルが判別可能な符号と共に記憶される。
【００４２】
本実施形態では、コンテンツ内容記憶部９３内に、第１セキュリティレベルコンテンツ内容記憶部１０１、及び、第２セキュリティレベルコンテンツ内容記憶部１０２を有する。第１セキュリティレベルコンテンツ内容記憶部１０１は、第１のセキュリティレベルに設定された結果、第１解除用コンテンツ名称が入力された場合に表示が可能になるコンテンツの内容を記憶する。第２セキュリティレベルコンテンツ内容記憶部１０２は、第２のセキュリティレベルに設定された結果、第２解除用コンテンツ名称が入力された場合に表示が可能になるコンテンツの内容を記憶する。尚、コンテンツ記憶部４２の各コンテンツのデータ中には、表示制限の有無のデータ又は解除用コンテンツ名称記憶部４３を参照するか否かのデータを含ませても良い。
【００４３】
解除用コンテンツ名称記憶部４３は、後述する解除用コンテンツ名称設定部５４によりコンテンツの表示制限を解除する解除用コンテンツ名称として設定されたコンテンツ名称を、表示制限されたコンテンツと対応させて記憶する。その際に、解除用コンテンツ名称は、複数段階のセキュリティレベルに応じて各段階毎にセキュリティの解除が可能であるように、第１解除用コンテンツ名称、第２解除用コンテンツ名称、及び、第３解除用コンテンツ名称が記憶される。
【００４４】
パスワード記憶部４５は、表示制限の解除方法がパスワード入力に切り替わった場合の、第１セキュリティレベルのコンテンツに対応する表示制限を解除するためのパスワードを記憶する。
【００４５】
図３の主制御部２１内の各機能ブロックは、例えば、図２に示した主制御部２１で各種の処理プログラムが実行されることにより達成される機能を示すブロックである。
【００４６】
表示制御部５１は、表示部１１に表示する内容を制御し、例えば表示制限を解除する前の第１一覧６１、第２一覧６２、及び、第３一覧６３を表示し、表示制限が解除された後のコンテンツの内容を表示する。
【００４７】
又、表示制御部５１は、コンテンツ記憶部４２に記憶されたコンテンツの内、表示制限の設定されているコンテンツについては、当該コンテンツが選択されても、そのコンテンツに設定されたセキュリティレベルの解除用コンテンツ名称の選択入力を受けるまでは表示を制限し、制限が解除されているコンテンツが選択された場合には、コンテンツ記憶部４２から当該コンテンツを読み出して、表示部１１に表示する。
【００４８】
又、表示制御部５１は、例えば表示部１１が不揮発性の場合で直前に表示されていたコンテンツを再表示させる場合の表示機能の制限をする前に、表示部１１の画面からコンテンツ名称を削除する。これにより、不揮発性の表示部１１の画面上にコンテンツ名称が残存することから解除用コンテンツ名称が第三者に判別しやすくなる事態を避けることができる。
【００４９】
一覧生成部５２は、外部記憶部２２に記憶されたコンテンツ等のデータからコンテンツ名称の一覧を生成し、表示制限を解除する時に第１一覧６１、第２一覧６２、及び、第３一覧６３を生成する。第１一覧６１を生成する時には、一覧生成部５２は、解除用コンテンツ名称記憶部４３から第１解除用コンテンツ名称と、コンテンツ名称記憶部９１から第１のセキュリティレベルの表示制限を解除できない解除不能コンテンツ名称と、の２種類のコンテンツ名称を選択して表示する。
【００５０】
第２一覧６２を生成する時には、一覧生成部５２は、解除用コンテンツ名称記憶部４３から第２セキュリティレベルのコンテンツの表示制限を解除できる第２解除用コンテンツ名称と、コンテンツ名称記憶部９１から表示制限の解除された第１セキュリティレベルのコンテンツを表示させるためのコンテンツ名称及び第２セキュリティレベルのコンテンツの表示制限を解除できない解除不能コンテンツ名称と、の３種類のコンテンツ名称を選択して表示する。
【００５１】
第３一覧６３を生成する時には、一覧生成部５２は、コンテンツ名称記憶部９１から表示制限の解除された第１及び第２セキュリティレベルのコンテンツを表示させるためのコンテンツ名称を選択して表示する。
【００５２】
解除用コンテンツ名称設定部５４は、例えば、コンテンツ名称記憶部９１内のコンテンツ名称の一覧からいずれか一つを、第１セキュリティレベル、又は、第２セキュリティレベルの表示制限の解除用コンテンツ名称として各レベル毎に設定し、解除用コンテンツ名称記憶部４３に格納する。
【００５３】
第１セキュリティレベルの表示制限の解除用コンテンツ名称は、第１セキュリティレベルの表示制限が設定されたコンテンツと対応させて解除用コンテンツ名称記憶部４３に記憶される。これは、第１一覧６１から第１セキュリティレベルの表示制限の解除用コンテンツ名称が選択された場合に、第１セキュリティレベルの表示制限が設定された各コンテンツの表示制限を解除する必要があるためである。その際に解除用コンテンツ名称設定部５４は、コンテンツ記憶部４２内の各コンテンツのデータ中に、表示制限の有無のデータ又は解除用コンテンツ名称記憶部４３を参照するデータを含ませるようにしてもよい。
【００５４】
同様の理由から、第２セキュリティレベルの表示制限の解除用コンテンツ名称は、第２セキュリティレベルの表示制限が設定されたコンテンツと対応させて解除用コンテンツ名称記憶部４３に記憶される。
【００５５】
選択部５５は、入力部１２により、表示部１１に表示された第１一覧６１、第２一覧６２、又は、第３一覧６３から一つのコンテンツ名称を選択する。又、選択部５５は、第１一覧６１、第２一覧６２、及び、第３一覧６３から上限が定められた複数回、コンテンツ名称を選択できるようにしてもよい。
【００５６】
解除制御部５６は、表示制御部５１と一覧生成部５２により第１一覧６１を表示させた場合には、その中から選択部５５により選択されたコンテンツ名称が第１解除用コンテンツ名称か否かを判断し、第２一覧６２を表示させた場合には、その中から選択されたコンテンツ名称が第２解除用コンテンツ名称か否かを判断する。選択されたコンテンツ名称が第１又は第２の解除用コンテンツ名称である場合、解除制御部５６は、表示制限が設定されたコンテンツの制限を解除する。選択されたコンテンツ名称が第１又は第２の解除用コンテンツ名称以外である場合、解除制御部５６は、コンテンツの表示制限を維持する。
【００５７】
第１一覧６１を表示させた場合の解除制御部５６は、この解除処理を後述するカウント部５８で計数された回数が所定値Ｎ（Ｎは正の整数で例えば「３」等）に達するまで繰り返すことができる。さらに解除制御部５６は、カウント部５８で計数された回数が所定値Ｎに達した場合、解除方法を後述するパスワード制御部１１１によるパスワード入力で解除する方法に変更する。
【００５８】
処理プログラム記憶部５７は、表示装置１の各種の処理プログラムを記憶し、少なくとも上記した表示制御部５１、一覧生成部５２、解除用コンテンツ名称設定部５４、選択部５５、及び、解除制御部５６の処理を主制御部２１で実行させるプログラムと、表示装置１にコンテンツの内容を表示させるプログラムを格納している。
【００５９】
第１表示制御プログラム１２１は、第１セキュリティレベルのコンテンツの表示制限を解除できる第１解除用コンテンツ名称と、表示制限を解除できない解除不能コンテンツ名称と、の２種類の文字列と、セキュリティレベルが設定されていないコンテンツに対応するコンテンツ名称を有する場合のそのコンテンツ名称、を列挙した第１一覧を前記表示部に表示させるプログラムである。更に、第１表示制御プログラム１２１は、第１一覧から解除不能コンテンツ名称が選択された場合に、パスワード入力画面を表示部１１に表示する。この第１表示制御プログラム１２１は、主制御部２１内の表示制御部５１等で実行することにより、実行部位を第１表示制御部として機能させることができる。
【００６０】
第１選択プログラム１２２は、表示部１１に表示された第１一覧から一つのコンテンツ名称を選択するプログラムである。この第１選択プログラム１２２は、主制御部２１内の選択部５５等で実行することにより、実行部位を第１選択部として機能させることができる。
【００６１】
第２表示制御プログラム１２３は、第１一覧から第１解除用コンテンツ名称が選択された場合に、第１セキュリティレベルのコンテンツのコンテンツ名称と、第２セキュリティレベルのコンテンツの表示制限を解除できる第２解除用コンテンツ名称と、表示制限を解除できない解除不能コンテンツ名称と、の３種類のコンテンツ名称を少なくとも列挙した第２一覧を表示部１１に表示させる。そして、第１一覧から解除不能コンテンツ名称が選択された場合には、第２一覧を表示させないプログラムである。この第２表示制御プログラム１２３は、主制御部２１内の表示制御部５１等で実行することにより、実行部位を第２表示制御部として機能させることができる。
【００６２】
第２選択プログラム１２４は、表示部１１に表示された第２一覧から一つのコンテンツ名称を選択するプログラムである。この第２選択プログラム１２４は、主制御部２１内の選択部５５等で実行することにより、実行部位を第２選択部として機能させることができる。
【００６３】
第３表示制御プログラム１２５は、第２一覧から表示制限が解除された第１セキュリティレベルのコンテンツのコンテンツ名称が選択された場合には、第１セキュリティレベルのコンテンツの内容を表示部１１に表示し、第２一覧から第２解除用コンテンツ名称が選択された場合には、第２セキュリティレベルのコンテンツのコンテンツ名称を列挙した第３一覧を表示部１１に表示し、第２一覧から解除不能コンテンツ名称が選択された場合には、第３一覧を表示させないプログラムである。この第３表示制御プログラム１２５は、主制御部２１内の表示制御部５１等で実行することにより、実行部位を第３表示制御部として機能させることができる。
【００６４】
第３選択プログラム１２６は、表示部１１に表示された第３一覧から一つのコンテンツ名称を選択するプログラムである。この第３選択プログラム１２６は、主制御部２１内の選択部５５等で実行することにより、実行部位を第３選択部として機能させることができる。
【００６５】
第４表示制御プログラム１２７は、第３一覧から第２セキュリティレベルのコンテンツのコンテンツ名称が選択された場合に、第２セキュリティレベルのコンテンツの内容を表示部１１に表示するプログラムである。この第４表示制御プログラム１２７は、主制御部２１内の表示制御部５１等で実行することにより、実行部位を第４表示制御部として機能させることができる。
【００６６】
第５表示制御プログラム１２８は、第１表示制御プログラム１２１の第１一覧から解除不能コンテンツ名称が選択された場合に、まずは再度第１一覧を表示する。第５表示制御プログラム１２８による再度の第１一覧を表示する処理は、その表示から解除不能コンテンツ名称が選択される回数が所定数Ｎ（Ｎ＞１の正の整数）に達するまで繰り返される。解除不能コンテンツ名称が選択される回数が所定数Ｎに達した場合、第５表示制御プログラム１２８は、パスワード入力画面（図８参照）を表示し、そのパスワード入力画面でパスワードが入力された場合、入力されたパスワードがパスワード記憶部４５に予め記憶されている解除用のパスワードに一致するか否かを判断し、一致した場合に第２一覧を表示する。この第５表示制御プログラム１２８は、主制御部２１内の表示制御部５１等で実行することにより、実行部位を第５表示制御部として機能させることができる。
【００６７】
カウント部５８は、第１一覧６１から選択部５５で解除用コンテンツ名称の選択に失敗した回数を計数する。カウント部５８が計数した選択回数を通知することで、解除制御部５６では、解除用コンテンツ名称の一覧から選択する回数を所定数Ｎに達するまでに上限を制限できる。これにより表示装置１では、セキュリティ効果が必要以上に低減することを抑制でき、所定数Ｎに達した場合のパスワード入力による解除方法への変更を可能にできる。
【００６８】
パスワード制御部１１１は、表示制御部５１により表示部１１へパスワード入力画面を表示させて、入力部１２からパスワードを入力させ、入力されたパスワードとパスワード記憶部４５に予め記憶されている解除用のパスワードとを照合し、一致した場合に機能制限を解除する。これにより表示装置１では、正当な使用者が忘却又は選択ミスにより選択回数が所定数Ｎ以上になった場合に、パスワード入力により救済することができる。パスワード解除制御部１１１は、カウント部５８でパスワード入力回数を計数するようにしてもよい。その場合のパスワード解除制御部１１１は、カウント部で計数された回数が所定数Ｍ（Ｍは正の整数：例えば「３」等である）を超えた場合には制限を維持して解除処理を終了する。又、パスワード解除制御部１１１は、解除制御部５６内に設けられても良い。その場合の表示装置１では、所定数Ｍ回まで再入力できることで、正当な使用者のパスワードの単純な入力エラーを救済することができる。
【００６９】
このように本実施形態の表示装置１の表示装置によれば、表示装置１内に蓄積されたコンテンツのセキュリティを、各コンテンツに設定されたセキュリティレベルに対応させて複数回に分けて段階的に解除できるので、一つのセキュレティレベルが解除されるだけ全てのコンテンツのセキュリティが無効になってしまうことを避けることができる。また、第２一覧では「第１セキュリティレベルのコンテンツのコンテンツ名称」と「第２解除用コンテンツ名称」とが列挙されているため、第１セキュリティレベルのコンテンツの内容を表示するために行う「第１セキュリティレベルのコンテンツのコンテンツ名称」の選択と、第２セキュリティレベルのコンテンツの一覧を表示するための「第２解除用コンテンツ名称」の選択との両方を同一の一覧から行うことができる。これによりユーザは、それぞれ別の一覧から選択しなければならないといった煩雑な操作をしなくても良くなる。
【００７０】
図４は、本実施形態の表示装置１の全体的な動作を示すフローチャートである。
表示装置１は、不図示の電源スイッチを使用者によりオンされると、各部に異常があるか否かの自己診断を行い、異常がなければ起動させ（Ｓ１）、最初のメニュー画面を表示部１１に表示する（Ｓ２）。メニュー画面には、選択可能な項目として「１．コンテンツ選択」、「２．解除用コンテンツ名称の設定」、「３．その他」の３項目が表示される。入力部１２によりメニュー画面から一項目が選択され（Ｓ３）、選択された処理が実行される。以下、上述した３つの項目に対応する処理を、各項目に分けて説明する。
【００７１】
（１）「１．コンテンツ選択」が選択された場合には、コンテンツの選択処理が実行されて表示部１１にコンテンツ選択用の一覧画面が表示され、その中から表示させるコンテンツが選択される（Ｓ４）。しかし、選択されたコンテンツに表示制限が設定されている場合には、先にセキュリティレベル毎に解除用コンテンツ名称の一覧画面が表示され、セキュリティレベル毎に解除用コンテンツ名称が選択されることにより制限が解除されてコンテンツの内容を表示することができる（Ｓ５）。コンテンツの表示が終了すると、再度、そのコンテンツに対する表示が制限され、ステップＳ２に戻ってメニュー画面が表示される。
【００７２】
（２）「２．解除用コンテンツ名称設定」が選択された場合には、解除用コンテンツ名称の選択用の一覧画面が表示部１１に表示され、その中から制限を解除するためのコンテンツ名称が選択されることで、そのコンテンツに対して解除用コンテンツ名称が設定される（Ｓ６）。この解除用コンテンツ名称を設定する処理については詳しく後述する。
【００７３】
（３）「３．その他」が選択された場合には、データ転送等のその他の処理が実施される（Ｓ７）。外部機器からコンテンツのデータを表示装置１に転送する場合、表示装置１は、外部機器に対してコンテンツの転送を要求し、コンテンツが転送されてきたら受信して外部記憶部２２に格納する。
【００７４】
ここで、ステップＳ６の「解除用コンテンツ名称を設定する処理」についての一例を、より詳しく説明する。尚、コンテンツ名称記憶部９１には、予め解除用コンテンツ名称の一覧に必要な数より多いコンテンツ名称が入力されていることとする。
【００７５】
まず、解除制御部５６は、表示制御部５１により通常選択用コンテンツ名称一覧を生成して表示部１１に表示させ、表示された通常選択用コンテンツ名称一覧から一つのコンテンツ名称が選択部５５で選択されたことを受けて、そのコンテンツを解除用コンテンツ名称として決定するか否かを判断する。
【００７６】
解除制御部５６は、解除用コンテンツ名称が決定しない場合には、再度通常選択用コンテンツ名称一覧を表示させるが、解除用コンテンツ名称が決定した場合には、表示制御部５１により表示させる数のコンテンツ名称をコンテンツ名称記憶部９１から読み出して、設定用一覧を作成して表示部１１に表示する。
【００７７】
その後、解除用コンテンツ名称設定部５４では、表示された設定用一覧から一つのコンテンツ名称が選択されたことを受けて、その選択されたコンテンツ名称を、解除用コンテンツ名称と関連付けて解除用コンテンツ名称記憶部４３に格納する。この処理は、選択されたコンテンツ名称に対して、そのコンテンツ名称を記憶する記憶部にフラグ等の何らかの情報を追加して解除用であることがわかるようにしてもよい。
【００７８】
図５は、図４のステップＳ４のコンテンツを選択する処理の詳細フローチャートである。図６（ａ）、（ｂ）、（ｃ）は、各々、図５のフローチャートの第１一覧、第２一覧及び第３一覧の表示画面の一例を示す図である。図７と図８は、図５のフローチャートの一部のステップにおける表示画面の一例を示す図である。
【００７９】
表示制御部５１は、第１解除用コンテンツ名称と、解除不能コンテンツ名称と、セキュリティレベルが設定されていないコンテンツに対応するコンテンツ名称を有する場合のそのコンテンツ名称を含む第１一覧６１（図６（ａ）、図７参照）を生成して表示部１１に表示する（Ｓ１１）。その後、解除制御部５６では、表示された第１一覧６１から一つのコンテンツ名称が選択部５５で選択された（Ｓ１２）ことを受けて、その選択されたコンテンツ名称が第１解除用コンテンツ名称であるか否かを判断する（Ｓ１３）。選択されたコンテンツ名称が第１解除用コンテンツ名称ではない場合（Ｓ１３：ＮＯ）には、解除制御部５６は、後述するステップＳ２３の判断を実施する。
【００８０】
選択されたコンテンツ名称が第１解除用コンテンツ名称である場合（Ｓ１３：ＹＥＳ）には、解除制御部５６は、コンテンツ名称記憶部９１から表示制限が解除された第１セキュリティレベルのコンテンツ名称と第２セキュリティレベルを解除できない解除不能コンテンツ名称、更に解除用コンテンツ名称記憶部４３から第２解除用コンテンツ名称を読み出して、それらを含む第２一覧６２（図６（ｂ）、図７、図８参照）を表示制御部５１により表示させる（Ｓ１４）。
【００８１】
その後、解除制御部５６では、表示された第２一覧６２から一つのコンテンツ名称が選択部５５で選択された（Ｓ１５）ことを受けて、その選択されたコンテンツ名称が第２解除用コンテンツ名称であるか否かを判断する（Ｓ１６）。選択されたコンテンツ名称が第２解除用コンテンツ名称ではない場合（Ｓ１６：ＮＯ）には、解除制御部５６は、更に、選択されたコンテンツ名称が第１セキュリティレベルのコンテンツ名称であるか否かを判断する（Ｓ１６）。
【００８２】
第１セキュリティレベルのコンテンツ名称ではない場合（Ｓ１７：ＮＯ）には、解除制御部５６は、処理を終了する。第１セキュリティレベルのコンテンツ名称である場合（Ｓ１７：ＹＥＳ）には、解除制御部５６は、表示制御部５１により、第１セキュリティレベルのコンテンツの内容９１（図７参照）を、第１セキュリティレベルコンテンツ内容記憶部１０１から読み出して表示部１１に表示させる（Ｓ１８）（図４のステップＳ５に対応）。
【００８３】
一方、選択されたコンテンツ名称が第２解除用コンテンツ名称である場合（Ｓ１６：ＹＥＳ）には、解除制御部５６は、コンテンツ名称記憶部９１から表示制限が解除された第１と第２のセキュリティレベルのコンテンツ名称を読み出して、それらを含む第３一覧６３（図６（ｃ）、図８参照）を表示する（Ｓ１９）。
【００８４】
その後、解除制御部５６では、表示された第３一覧６３から一つのコンテンツ名称が選択部５５で選択された（Ｓ２０）ことを受けて、表示制御部５１により、第２セキュリティレベルのコンテンツの内容（図８参照）を、第２セキュリティレベルコンテンツ内容記憶部１０２から読み出して表示部１１に表示させる（Ｓ２１）（図４のステップＳ５に対応）。
【００８５】
図６（ａ）に示したように第１一覧６１中のコンテンツ名称の表示数Ｐが４個である場合、解除用コンテンツ名称を第三者が偶然に選択する確率は１／４（約２５％）である。次に、図６（ｂ）に示した第２一覧６２中のコンテンツ名称の表示数Ｐを、セキュリティ効果のレベルを向上させるために１５にした場合、解除用コンテンツ名称を第三者が偶然に選択する確率は１／１５（６．６７％）である。さらに次に、図６（ｃ）に示した第３一覧６３中のコンテンツ名称の表示数Ｐを、セキュリティ効果のレベルを更に向上させるために８０にした場合、解除用コンテンツ名称を第三者が偶然に選択する確率は１／８０（１．２５％）である。要求されるセキュリティ効果のレベルは、表示装置が使用される状況等により個々に異なるが、例えば要求されるセキュリティのレベルが高くなく簡易的なセキュリティでよい等の場合には、偶然の選択確率が１／８０（１．２５％）というレベルは、実用的に充分なセキュリティ効果が得られるレベルと考えられる。
【００８６】
次に、図５のステップＳ１３：ＮＯの場合の処理について説明する。図５のステップＳ１３において、選択されたコンテンツ名称が第１解除用コンテンツ名称ではない場合（Ｓ１３：ＮＯ）には、解除制御部５６は、選択回数が所定数Ｎ（Ｎ＞１の正の整数：例えば３）より少ないか否かを判断する（Ｓ２３）。選択回数が所定数Ｎより少ない場合（Ｓ２３：ＹＥＳ）には、解除制御部５６は、ステップＳ１１に戻って、表示制御部５１により、再び第１一覧６１を表示部１１に表示する。
【００８７】
選択回数が所定数Ｎより多い場合（Ｓ２３：ＮＯ）には、解除制御部５６は、パスワード制御部１１１に制御を移し、パスワード制御部１１１は、表示制御部５１により、パスワード入力画面７１（図７参照）を表示部１１に表示させる（Ｓ２４）。
【００８８】
その後、パスワード制御部１１１では、表示されたパスワード入力画面７１にパスワードが入力されたことを受けて、その入力されたパスワードがパスワード記憶部４５に予め記憶されたパスワードと一致するか否かを判断する（Ｓ２５）。尚、パスワード入力画面７１においては、中央のパスワード入力枠７２内に、下側のソフトウエアキーボード７３と選択部５５とによりパスワードの入力が可能である。
【００８９】
パスワードが一致しない場合（Ｓ２５：ＮＯ）には、パスワード制御部１１１は、処理を終了し、パスワードが一致した場合（Ｓ２５：ＹＥＳ）には、Ｓ１４の処理へ進み、表示制御部５１に第２一覧６２を表示させる。
【００９０】
又、上記のＳ２３〜Ｓ２５の処理を実施しない場合には、解除制御部５６は、図５のステップＳ１３：ＮＯの場合に処理を終了させればよい。
【００９１】
尚、本実施形態では、コンテンツ記憶部４２から読み出されるコンテンツは、既に表示制限が設定されているものとしているが、表示制限が設定されていないコンテンツに表示制限を設定する場合にも、上記と同様に一覧画面から選択したコンテンツに対して表示制限を設定することができる。
【００９２】
又、外部記憶部２２へのコンテンツ及びコンテンツ名称の入力方法は、例えば、外部記憶装置２をパーソナルコンピュータ等に接続して入力した後、表示装置１の外部記憶Ｉ／Ｆ２３に接続すればよい。あるいは、不図示の通信インターフェースに接続して外部機器から入力させてもよい。
【００９３】
このように本実施形態の表示装置１によれば、表示部に多数のコンテンツ名称の一覧を迅速に表示し、そこから解除用コンテンツ名称を選択させることで機能制限を解除するので、表示装置がテンキー及び／又は文字入力キー等でパスワード等の文字列を入力することなく迅速に機能制限を解除でき、第三者に対して充分なセキュリティ効果を得ることができる。
【００９４】
又、本実施形態の表示装置１では、選択回数を記憶して所定値Ｎ以内に制限できるので、解除用コンテンツ名称の一覧からの選択回数制限によるセキュリティ効果を得ることができ、正当な使用者が忘却又は選択ミスにより選択回数が所定値Ｎ以上になった場合に、パスワードで救済することができる。
【００９５】
又、本実施形態は、電気泳動式の表示パネル等を備える不揮発性の表示装置に適用できるが、その他にも通常選択用コンテンツ名称一覧を表示可能な装置であれば、他の表示方式の表示装置、あるいは、表示画面を備える他の装置にも適用することができる。
【符号の説明】
【００９６】
１  表示装置、
２  外部記憶装置、
３  外部機器、
１１  表示部、
１２  入力部、
１５  上方向キー、
１６  右方向キー、
１７  下方向キー、
１８  左方向キー、
１９  決定キー、
２１  主制御部、
２２  外部記憶部、
２３  外部記憶インターフェース（Ｉ／Ｆ）、
２４  通信インターフェース（Ｉ／Ｆ）、
２５  タイマ、
２６  電源部、
３１  中央演算素子（ＣＰＵ）、
３２  読み出し専用メモリ（ＲＯＭ）、
３３  ランダムアクセスメモリ（ＲＡＭ）、
４２  コンテンツ記憶部、
４３  解除用コンテンツ名称記憶部、
４５  パスワード記憶部、
５１  表示制御部、
５２  一覧生成部、
５４  解除用コンテンツ名称設定部、
５５  選択部、
５６  解除制御部、
５７  処理プログラム記憶部、
５８  カウント部、
６１  第１一覧、
６２  第２一覧、
６３  第３一覧、
７１  パスワード入力画面、
７２  パスワード入力枠、
７３  ソフトウエアキーボード、
８１  選択されたコンテンツの内容画面、
９１  コンテンツ名称記憶部、
９３  コンテンツ内容記憶部、
１０１  第１セキュリティレベルコンテンツ内容記憶部
１０２  第２セキュリティレベルコンテンツ内容記憶部
１１１  パスワード制御部、
１２１  第１表示制御プログラム、
１２２  第１選択プログラム、
１２３  第２表示制御プログラム、
１２４  第２選択プログラム、
１２５  第３表示制御プログラム、
１２６  第３選択プログラム、
１２７  第４表示制御プログラム、
１２８  第５表示制御プログラム。
【図１】
2010160662.tif 000003
【図２】
2010160662.tif 000004
【図３】
2010160662.tif 000005
【図４】
2010160662.tif 000006
【図５】
2010160662.tif 000007
【図６】
2010160662.tif 000008
【図７】
2010160662.tif 000009
【図８】
2010160662.tif 000010